(57)【要約】【課題】  意匠性に優れ、排水口と追い焚きを行う追い焚き通水口とを備えた浴槽用給湯兼排水口アダプターを提供することを目的とする。【解決手段】  浴槽の底面に形成される排水口１０と、排水口１０の上に載置され排水口１０の開閉を行う弁体１１と、排水口１０に隣接して形成される追い焚き通水口２０と、追い焚き通水口２０の上に載置される通水口カバー２１とを備え、通水口カバー２１の、排水口１０と隣接する辺側の端部である排水口側端部２２を弁体１１の下方に位置させたことを特徴とする。【選択図】図２
2019138059.tif 000002
【特許請求の範囲】
【請求項１】
浴槽の底面に形成される排水口と、
排水口の上に載置され排水口の開閉を行う弁体と、
排水口に隣接して形成される追い焚き通水口と、
追い焚き通水口の上に載置される通水口カバーとを備え、
通水口カバーの、排水口と隣接する辺側の端部を弁体の下方に位置させた
ことを特徴とする浴槽用給湯兼排水口アダプター。
【請求項２】
前記排水口および前記追い焚き通水口は、一体に形成されている
ことを特徴とする請求項１記載の浴槽用給湯兼排水口アダプター。
【請求項３】
前記浴槽の底面と、閉口時の弁体の頂部と、通水口カバーの頂部とが面一となる
ことを特徴とする請求項１又は２記載の浴槽用給湯兼排水口アダプター。
【請求項４】
前記通水口カバーは、排水口と隣接する辺側の端部へ向けて傾斜する傾斜部を備える
ことを特徴とする請求項１〜３のいずれか１項記載の浴槽用給湯兼排水口アダプター。
【請求項５】
前記弁体および前記通水口カバーは、
少なくとも外部に露出する個所が、
金属により形成されている、又は、金属調加工が施されている
ことを特徴とする請求項１〜４のいずれか１項記載の浴槽用給湯兼排水口アダプター。
【発明の詳細な説明】
【技術分野】
【０００１】
本発明は、排水口と給湯器からの温水が吐出される給湯口や、追い焚きを行う追い焚き通水口とを備えた浴槽用給湯兼排水口アダプターに関する。
【背景技術】
【０００２】
浴槽の追い焚きを行うために排水口と追い焚き通水口とを一体に備えた浴槽用給湯兼排水口アダプターを用いた浴槽排水装置が知られている。例えば、特許文献１では、浴槽の排水孔に口具が装着され、この口具には、排水通路と、浴槽湯水循環用の往通路および戻り通路とが設けられ、前記排水孔の排水通路には排水弁が設けられる浴槽の排水弁装置が開示されている。特許文献１に示されるように、一体型の浴槽用給湯兼排水口アダプターの多くは、排水口および弁体を円形とし、排水口の周囲に沿って追い焚き通水口を形成して円形のカバーで追い焚き通水口を覆う構造をしている。
【先行技術文献】
【特許文献】
【０００３】
【特許文献１】実開平５−９６１６８号公報
【発明の概要】
【発明が解決しようとする課題】
【０００４】
しかしながら、上記特許文献１に示されるような円形の浴槽用給湯兼排水口アダプターは、意匠性に劣るという問題がある。消費者の趣向も多様化しており、円形以外の形状の排水口および追い焚き通水口を求めるニーズがある。上記従来の浴槽用給湯兼排水口アダプターでは、このようなデザインに対するニーズを充足することができない。
【０００５】
そこで、本発明は、このような問題に鑑みなされたものであり、意匠性に優れ、排水口と給湯口や追い焚きを行う追い焚き通水口とを備えた浴槽用給湯兼排水口アダプターを提供することを目的とする。
【課題を解決するための手段】
【０００６】
上記の課題を解決するため、本発明に係る浴槽用給湯兼排水口アダプターは、浴槽の底面に形成される排水口と、排水口の上に載置され排水口の開閉を行う弁体と、排水口に隣接して形成される追い焚き通水口と、追い焚き通水口の上に載置される通水口カバーとを備え、通水口カバーの、排水口と隣接する辺側の端部を弁体の下方に位置させたことを特徴とする。
【０００７】
これにより、弁体と通水口カバーとが載置される面であるアダプター底面を覆い隠して露出させずに、連続性のある平面を構成し、かつ、円形以外の形状にも対応することができるので、意匠性に優れた浴槽用給湯兼排水口アダプターが実現可能となる。
【０００８】
ここで、前記排水口および前記追い焚き通水口は、一体に形成されているとしてもよい。
【０００９】
また、前記浴槽の底面と、閉口時の弁体の頂部と、通水口カバーの頂部とが面一となるのが好ましい
これにより、浴槽の底面が凸状部分がなくなり平坦になるので、使用者が浴槽内で足を引っ掛けることを防ぐことができる。
【００１０】
また、前記通水口カバーは、排水口と隣接する辺側の端部へ向けて傾斜する傾斜部を備えるのが好ましい。
【００１１】
これにより、通水口カバーの排水口側の端部を弁体の下に潜り込ませて排水口底面を覆い隠すことができる。
【００１２】
さらに、前記弁体および前記通水口カバーは、少なくとも外部に露出する個所が、金属により形成されている、又は、金属調加工が施されているのが好ましい。
【００１３】
これによれば、同じ素材で連続性のある平面として、意匠性を高めることができる。
【発明の効果】
【００１４】
以上のように、本発明に係る浴槽用給湯兼排水口アダプターによれば、弁体と通水口カバーとが載置されるアダプター底面を覆い隠し、連続性のある平面を構成しつつ、円形以外の形状にも対応可能なので、様々なデザインに対するニーズを充足することができる。
【図面の簡単な説明】
【００１５】
【図１】第１実施形態の浴槽用給湯兼排水口アダプターの平面図である。
【図２】図１のＡ−Ａ線断面斜視図である。
【図３】図１のＢ−Ｂ線断面図で、排水口が開いた状態を示す図である。
【図４】図１のＢ−Ｂ線断面図で、排水口が閉じた状態を示す図である。
【図５】排水口と通水口カバーの位置関係を示す図である。
【図６】通水口カバーの斜視図である。
【図７】第２実施形態の浴槽用給湯兼排水口アダプターの平面図である。
【図８】図７のＣ−Ｃ線断面斜視図である。
【図９】排水口と通水口カバーの位置関係を示す図である。
【図１０】通水口カバーの斜視図である。
【発明を実施するための形態】
【００１６】
以下、本発明に係る浴槽用給湯兼排水口アダプターについて図を参照しながら説明する。
【００１７】
図１は、第１実施形態の浴槽用給湯兼排水口アダプターの平面図であり、図２はＡ−Ａ線断面斜視図である。図３および図４は図１のＢ−Ｂ線断面図で、図３は排水口が開いた状態を示し、図４は排水口が閉じた状態を示している。また、図５は排水口と通水口カバーの位置関係を示す図であり、図６は通水口カバーの斜視図である。
【００１８】
第１実施形態に係る浴槽用給湯兼排水口アダプター１は、浴槽５の底面に配置される排水装置であり、排水口１０と、追い焚きを行う際に湯水を循環させるための通水口となる追い焚き通水口２０とを隣接させて一体に備えた浴槽用給湯兼排水口アダプターである。ここでは、排水が下水へと排水される排水口１０がアダプター底面２４に構成され、その排水口１０の左右に追い焚き通水口２０が配列され、追い焚き通水口２０、排水口１０、および、追い焚き通水口２０が直列に並び、全体が平面視矩形となるよう構成された浴槽用給湯兼排水口アダプターを示している。なお、浴槽５の底面には、浴槽５の側壁と浴槽５の底面が交差するＲ部分も含まれるものとする。
【００１９】
排水口１０の上には、排水口１０の開閉を行う弁体１１が載置されており、この弁体１１は全体形状に合わせた矩形に構成されている。弁体１１は、排水口１０を開栓又は閉栓する。具体的には排水口１０から離れた個所に構成される操作部を操作することで、レリースワイヤなどの伝達部材により弁体１１を上下動させる。図３に示すように、弁体１１を上昇させた際は、弁体１１は排水口１０から離間して開栓し、浴槽５内の排水が排水口１０から下水へと排水される。図４に示すように、弁体１１を下降させた際は、弁体１１は排水口１０に着座して閉栓し、浴槽５内に水を貯水することが可能となる。
【００２０】
追い焚き通水口２０は、追い焚きを行う際に湯水を通水させる通水口であり、浴槽５内の湯水を循環用の戻り通路へ導く吸込口２０Ａと、給湯器からの湯水を浴槽５内へ供給する吐出口２０Ｂとで構成されている。なお、ここでは、浴槽５と給湯器との間に湯水を循環させる循環型の給湯システムを例に挙げて説明するが、給湯器から浴槽５内に湯水を供給する吐出口２０Ｂのみで構成される給湯システムであってもよい。
【００２１】
追い焚き通水口２０の上には、通水口カバー２１が載置されている。通水口カバー２１は、追い焚き通水口２０を被覆するカバー部材であり、追い焚き時の湯水の吐出口又は吸引口が開口されている。この通水口カバー２１も全体形状に合わせた矩形に構成されている。
【００２２】
排水口１０と隣接する辺側に位置する通水口カバー２１の端部が、排水口１０を閉じた状態の弁体１１と正面視で平行、すなわち、排水口１０を閉じた状態の弁体１１の上面と同じ高さになっていると、弁体１１と通水口カバー２１の端部との間に隙間が形成されることになる。弁体１１と通水口カバー２１の端部とを密着させることは清掃時の取り外し等の障害になり、遊びが必要だからである。一方、弁体１１と通水口カバー２１の端部との間の隙間は、納まりが悪くなり、意匠性を悪化させることになる。弁体１１と通水口カバー２１とは同じ金属製として構成されることが多いところ、これらが載置される面であるアダプター底面２４は合成樹脂等の異素材で構成されていることが多く、弁体１１と通水口カバー２１の端部との間の隙間は、異素材の部分が露出することになって意匠性を非常に悪化させる一因となる。アダプター底面２４を同じ金属製で構成した場合でも、排水の汚れは隅や段差に溜まりやすいため、弁体１１と通水口カバー２１の端部との間の隙間は汚れが見えてしまい、意匠性を低下させる一因になりうる。
【００２３】
そのため、通水口カバー２１の中央部と排水口１０を閉じた状態の弁体１１の上面とを同じ高さの面一に構成する一方で、通水口カバー２１の排水口１０と隣接する辺側の端部である排水口側端部２２を、弁体１１の下に位置するようにして、弁体１１と通水口カバー２１の端部との間の隙間を生じさせず、排水口底面を弁体１１と通水口カバー２１とによって覆い隠すことで意匠性を確保している。なお、浴槽５の底面と、排水口１０を閉じた状態の弁体１１の頂部と、通水口カバー２１の頂部とが面一となることで、浴槽５の底面に凸状部分をなくすることができ、使用者が足を引っ掛けることを防ぐ効果も得られる。
【００２４】
図５および図６に示すように、通水口カバー２１の排水口側端部２２は、弁体１１の下方に位置して排水口１０に沿う形状に構成されている。ここでは、カバー本体部材と、排水口側端部２２を有する端部部材２３とで構成される通水口カバー２１を示している。このカバー本体と端部部材２３とを分離する構成によれば、カバー本体部材を通水の為の穴開け加工を施した金属製とし、端部部材２３を合成樹脂製として排水口側端部２２の成型を容易にすることができる。
【００２５】
このように構成された浴槽用給湯兼排水口アダプター１は、排水口１０と、追い焚き通水口２０とを隣接させて一体に備えた浴槽用給湯兼排水口アダプターで、排水口１０の上に載置される弁体１１と、追い焚き通水口２０の上に載置される通水口カバー２１とにより、アダプター底面２４を覆い隠し、通水口カバー２１の排水口側端部２２が弁体１１の下に位置するように配置しているので、弁体１１と通水口カバー２１の端部との間に隙間を生じさせることがない。すなわち、アダプター底面２４が露出することがなくなるので、弁体１１と通水口カバー２１とを同素材で構成して連続性のある平面とすることができ、浴槽用給湯兼排水口アダプターを意匠性に優れたものとすることができる。
【００２６】
次に、第２実施形態の浴槽用給湯兼排水口アダプターについて説明する。
【００２７】
図７は、第２実施形態の浴槽用給湯兼排水口アダプターの平面図であり、図８はＢ−Ｂ線断面斜視図である。図９は排水口と通水口カバーの位置関係を示す図であり、図１０は通水口カバーの斜視図である。
【００２８】
第２実施形態の浴槽用給湯兼排水口アダプター２は、上記第１実施形態に係る浴槽用給湯兼排水口アダプター１と共通しており、通水口カバー４１が傾斜部４３を備えている点で異なっている。ここでは、この異なる点を中心に説明する。
【００２９】
通水口カバー４１は、通水口カバー４１の排水口３０と隣接する辺側の端部である排水口側端部４２へ向かって下方に傾斜する傾斜部４３を備えている。通水口カバー４１が、排水口３０を閉じた状態の弁体３１の上面と面一となる同じ高さから排水口側端部４２へ向かってテーパー状に形成された傾斜部４３を備えることにより、排水口側端部４２を弁体３１の下に潜り込ませてアダプター底面４４を覆い隠すので、弁体３１と通水口カバー４１の端部との間に隙間を生じさせることがなく、上記第１実施形態と同様に、意匠性に優れた浴槽用給湯兼排水口アダプターを得ることができる。
【００３０】
また、第２実施形態の通水口カバー４１は、カバー本体と端部部材とを分離する構成ではなく、全体を同じ金属製として構成している。このように通水口カバー４１を一体成型により構成してもよい。
【００３１】
以上、本発明に係る浴槽用給湯兼排水口アダプターについて、各実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３２】
例えば、上記実施の形態では、排水口の弁体や通水口カバーを金属製として説明したが、合成樹脂等のその他の素材であってもよい。合成樹脂製で表面に金属カシメ加工を施したり、インサート成形したものでもよい。少なくとも外部に露出する個所を金属とするのがよく、この他、表面に金属調加工（めっき、塗装、シート・フィルム貼付、ホットスタンプ、シボ加工、または、鏡面加工など）を施すとしてもよい。
【００３３】
また、連続性のある平面として意匠性を高める観点からは、弁体と通水口カバーとを同一素材で構成するのが好ましいが、意匠性を高められるものであれば弁体と通水口カバーとを異なる素材で構成してもよい。
【００３４】
さらに、上記実施形態では、弁体と通水口カバーとを矩形としているが、形状は矩形に限られるものではなく、その他の多角形状や異なる形状の組み合わせとしてもよく、円形以外の形状にも対応することができ、様々なデザインに対するニーズを充足することが可能である。
【産業上の利用可能性】
【００３５】
本発明は、浴槽底面に据え付けられる浴槽用給湯兼排水口アダプターとして有用であり、特に排水口と給湯口や追い焚きを行う追い焚き通水口とを備えた浴槽用給湯兼排水口アダプターに好適である。
【符号の説明】
【００３６】
１，２      浴槽用給湯兼排水口アダプター
５          浴槽
１０，３０  排水口
１１，３１  弁体
２０，４０  追い焚き通水口
２０Ａ      吸込口
２０Ｂ      吐出口
２１，４１  通水口カバー
２２，４２  排水口側端部
２３        端部部材
２４，４４  アダプター底面
４３        傾斜部
【図１】
2019138059.tif 000003
【図２】
2019138059.tif 000004
【図３】
2019138059.tif 000005
【図４】
2019138059.tif 000006
【図５】
2019138059.tif 000007
【図６】
2019138059.tif 000008
【図７】
2019138059.tif 000009
【図８】
2019138059.tif 000010
【図９】
2019138059.tif 000011
【図１０】
2019138059.tif 000012